(57)【要約】【課題】連動軸の回転方向に係らず、全てのジャッキに組付けられたねじ軸の螺旋方向が一致であれば、ねじ軸は同期に昇降することができるジャッキを提供する。【解決手段】台座と、ねじ軸スリーブと、傘歯車部材と、カバーディスクと、支持ロッドと、連接台と、連動軸とを含むジャッキにおいて、台座は頂面に第一開口が開設してあり、第一開口の下には収容空間が設けてあり、ねじ軸スリーブは、第一端部と第二端部とを含み、第一端部と第二端部とは、それぞれ収容空間内に枢設され、傘歯車部材は第一傘歯車を含み、ねじ軸スリーブの第一端部を嵌め、カバーディスクはその周縁が台座の頂面の周縁に締付けられ、支持ロッドはそのロッドの周面に螺旋が設けてあり、連接台はその一側が台座の貫通孔の周縁に締付けられ、連動軸は一つの端部に第二傘歯車が設けてある。【選択図】図２
0003128369.tif 000002
【実用新案登録請求の範囲】
【請求項１】
台座と、ねじ軸スリーブと、傘歯車部材と、カバーディスクと、支持ロッドと、連接台と、連動軸とを含むジャッキにおいて、
前記台座は、頂面に第一開口が開設してあり、前記第一開口の下には収容空間が設けてあり、前記台座の少なくとも一つの側面には貫通孔が開設してあり、
前記ねじ軸スリーブは、第一端部と、第二端部とを含み、前記第一端部と前記第二端部とは、それぞれ前記収容空間内に枢設され、そのうちの一つが前記台座の底面に枢設され、前記ねじ軸スリーブがねじ穴を軸方向に貫入してあり、
前記傘歯車部材は、第一傘歯車を含み、前記ねじ軸スリーブの第一端部を嵌め、前記傘歯車部材の第一傘歯車は、その位置が前記ねじ軸スリーブの第一端部および第二端部の設置位置によって変更し、連動軸と噛み合い、
前記カバーディスクは、その周縁が前記台座の頂面の周縁に締付けられ、
前記支持ロッドは、そのロッドの周面に螺旋が設けてあり、前記ロッドは、カバーディスクを挿通して前記ねじ軸スリーブにあるねじ穴に螺着し、
前記連接台は、その一側が前記台座の貫通孔の周縁に締付けられ、且つ前記連接台には前記貫通孔と連通する連接穴が軸方向に開設してあり、
前記連動軸は、一つの端部に第二傘歯車が設けてあり、第二傘歯車を第一傘歯車と噛み合うようにするために、前記連動軸を前記連接台の連接穴に枢設してもいいことを特徴とする、ジャッキ。
【請求項２】
前記台座の収容空間内の底面には窪みが凹設してあり、前記窪みの底面には第二開口が開設してあることを特徴とする、請求項１に記載のジャッキ。
【請求項３】
前記ねじ軸スリーブの両端にはより小径の第一端部と第二端部とが形成され、前記第一端部または前記第二端部が前記第一軸受の第一軸受穴に挿入して位置決められることを特徴とする、請求項１に記載のジャッキ。
【考案の詳細な説明】
【技術分野】
【０００１】
本考案は、ジャッキに係り、特に、連動軸の回転方向に係らずに、全てのジャッキに組付けられたねじ軸の螺旋方向が一致であれば、ねじ軸は同期に昇降することができるジャッキに関するものである。
【背景技術】
【０００２】
目下、ジャッキは、機械伝動の分野（例えば工作機械や産業機械など）に広汎に使用されており、それは、主に、水平方向の回転運動を上下方向の昇降運動に変換し、加工を便利にするものである。
【０００３】
従来のジャッキは、頂面から下方へ収容空間が凹設してあるハウジングと、前記収容空間に水平方向に貫入し、前記収容空間内に位置する周面に螺旋が設けてある伝動部を有する入力軸と、前記収容空間に鉛直方向に貫入し、中央にねじ軸をねじ込むためのねじ穴が開設してあり、その外周に前記入力軸の伝動部と噛み合うタービン部が設けてある伝動部材とを含む。
【考案の開示】
【考案が解決しようとする課題】
【０００４】
しかしながら、従来の伝動部材のタービン部と、入力軸の伝動部との噛合い方向が一定であるので、ねじ軸の螺旋方向は伝動部材のねじ穴の螺旋方向に合うことが必要である欠点があった。
【課題を解決するための手段】
【０００５】
上記欠点を解決するためになされた本願の考案は、台座と、ねじ軸スリーブと、傘歯車部材と、カバーディスクと、支持ロッドと、連接台と、連動軸とを含むジャッキにおいて、前記台座は、頂面に第一開口が開設してあり、前記第一開口の下には収容空間が設けてあり、前記台座の少なくとも一つの側面には貫通孔が開設してあり、前記ねじ軸スリーブは、第一端部と、第二端部とを含み、前記第一端部と前記第二端部とは、それぞれ前記収容空間内に枢設され、そのうちの一つが前記台座の底面に枢設され、前記ねじ軸スリーブがねじ穴を軸方向に貫入してあり、前記傘歯車部材は、第一傘歯車を含み、前記ねじ軸スリーブの第一端部を嵌め、前記傘歯車部材の第一傘歯車は、その位置が前記ねじ軸スリーブの第一端部および第二端部の設置位置によって変更し、連動軸と噛み合い、前記カバーディスクは、その周縁が前記台座の頂面の周縁に締付けられ、前記支持ロッドは、そのロッドの周面に螺旋が設けてあり、前記ロッドは、前記カバーディスクを挿通して前記ねじ軸スリーブにあるねじ穴に螺着し、前記連接台は、その一側が前記台座の貫通孔の周縁に締付けられ、且つ前記連接台には前記貫通孔と連通する連接穴が軸方向に開設してあり、前記連動軸は、一つの端部に第二傘歯車が設けてあり、第二傘歯車を第一傘歯車と噛み合うようにするために、前記連動軸を前記連接台の連接穴に枢設してもいいことを特徴とするジャッキであることを要旨としている。
【０００６】
本願の考案では、前記台座の収容空間内の底面には窪みが凹設してあり、前記窪みの底面には第二開口が開設してあることを特徴とする請求項１に記載のジャッキであることを要旨としている。
【０００７】
本願の考案では、前記ねじ軸スリーブの両端にはより小径の第一端部と第二端部とが形成され、前記第一端部または前記第二端部が前記第一軸受の第一軸受穴に挿入して位置決められることを特徴とする請求項１に記載のジャッキであることを要旨としている。
【考案の効果】
【０００８】
本考案のジャッキによれば、連動軸の回転方向に係らずに、全てのジャッキに組付けられたねじ軸の螺旋方向が一致であれば、ねじ軸は同期に昇降することができる効果を有する。
【考案を実施するための最良の形態】
【０００９】
以下、添付図面を参照して本考案の好適な実施の形態を詳細に説明する。
【００１０】
まず、図１乃至図３を参照する。本考案のジャッキは、台座１０と、第一軸受１１と、ねじ軸スリーブ１２と、傘歯車部材１３と、位置決めリング１４と、第二軸受１５と、カバーディスク１６と、ブッシュ１７と、支持ロッド１８と、連接台１９と、連動軸２０と、第三軸受２１と、Ｃ型リング２２と、第四軸受２３と、Ｏ型リング２４と、シールリング２５とを含む。
【００１１】
前記台座１０は、頂面に第一開口１０１が開設してあり、前記第一開口１０１の下には収容空間１０２が設けてあり、前記収容空間１０２の裏底面に窪み１０３が凹設してあり、前記窪み１０３の底面に第二開口１０４が開設してあり、前記台座１０の少なくとも一つの側面には貫通孔１０５が開設してある。
【００１２】
前記第一軸受１１は、前記窪み１０３内に設けられ、その中央に第一軸受穴１１１が設けてある。
【００１３】
前記ねじ軸スリーブ１２は、円柱形状を呈し、その中心にねじ穴１２１が軸方向に開設してあり、前記ねじ穴１２１のねじ谷に玉を設けることが可能であり、また、前記ねじ軸スリーブ１２の両端にはより小径の第一端部１２２と第二端部１２３とが形成され、前記第一端部１２２または前記第二端部１２３が前記第一軸受１１の第一軸受穴１１１に挿入して位置決められる。
【００１４】
前記傘歯車部材１３は、ブッシュ部１３１を有し、前記ブッシュ部１３１の一端に第一傘歯車１３２が設けてあり、これにより、前記ブッシュ部１３１は前記ねじ軸スリーブ１２の第一端部１２２を嵌めて固定されることができ、且つ第一傘歯車１３２が連動軸２０と噛み合うようになる。
【００１５】
前記位置決めリング１４は、前記ねじ軸スリーブ１２の第一端部１２２を嵌めて固定される。
【００１６】
前記第二軸受１５は、その中央に第二軸受穴１５１が設けてあり、これにより、前記第二軸受１５に前記ねじ軸スリーブ１２の第ニ端部１２３を嵌め、前記台座１０の第一開口１０１の内縁に前記第二軸受１５の周縁を緊密に合うことができる。
【００１７】
前記カバーディスク１６は、その周縁が前記台座１０の頂面の周縁に締付けられ、その中央に開口１６１が開設してある。
【００１８】
前記ブッシュ１７は、中心にブッシュ穴１７１が開設してあり、且つ前記カバーディスク１６の開口１６１の上面に設置される。
【００１９】
前記支持ロッド１８は、そのロッド１８１の一端に円盤１８２が設けてあり、前記ロッド１８１は、周面に螺旋が設けてあり、ブッシュ１７のブッシュ穴１７１を挿通して前記ねじ軸スリーブ１２にあるねじ穴１２１に螺着する。
【００２０】
前記連接台１９は、少なくとも一つあり、その一側が前記台座１０の貫通孔１０５の周縁に締付けられ、且つ前記連接台１９には前記貫通孔１０５と連通する連接穴１９１が軸方向に開設してある。
【００２１】
前記連動軸２０は、一つの端部に第二傘歯車２０１が設けてあり、第二傘歯車２０１を第一傘歯車１３２と噛み合うようにするために、前記連動軸２０を前記連接台１９の連接穴１９１に枢設してもよく、前記連動軸２０の自由端は、前記連接台１９の連接穴１９１の外側に突出し、且つ鍵溝２０２が設けてある。
【００２２】
前記第三軸受２１は、その中央に第三軸受穴２１１が設けてあり、これにより、前記連動軸２０の第二傘歯車２０１に近接する箇所に嵌め設け、連接穴１９１の内周面に前記第三軸受２１の周面を緊密に合うことができる。
【００２３】
前記Ｃ型リング２２は、二つあり、連接穴１９１の内縁にそれぞれ嵌め設けられ、第三軸受穴２１１の端面に当接し、第三軸受２１を規制するためのものである。
【００２４】
前記第四軸受２３は、その中央に第四軸受穴２３１が設けてあり、これにより、前記連動軸２０の前記二つのＣ型リング２２に近接する箇所に嵌め設けることができる。
【００２５】
前記Ｏ型リング２４は、前記連動軸２０に設けられて第四軸受２３を規制するためのものである。
【００２６】
前記シールリング２５は、前記連動軸２０に設けられ、その周縁が前記連接穴１９１の内面に緊密に合う。
【００２７】
図３に示すように、連動軸２０を駆動されて回転するときに、連動軸２０の第二傘歯車２０１が第一傘歯車１３２を駆動して回転させ、これにより、傘歯車部材１３が回転するようになり、且つ傘歯車部材１３がねじ軸スリーブ１２を駆動して回転させ、だから、支持ロッド１８のロッド１８１は、ねじ軸スリーブ１２内で回転するようになり、連動軸２０の回転方向によって昇降作動する。
【００２８】
また、第二傘歯車２０１と第一傘歯車１３２とは長時期に噛合ったと磨耗し易いので、本考案の連動軸２０は連接台１９の内部で微調整することが可能であり、例えば連動軸２０を連接台１９の外側に移動し、又は連動軸２０を連接台１９の内側に移動することにより、第二傘歯車２０１と第一傘歯車１３２との噛合長さを調整し最高の使用状態にすることができる。
【００２９】
図４に示すように、本考案のジャッキを組み合って使用する場合には、モータの両端をジャッキの連動軸２０と連接すると、パワーが別のジャッキに伝達され、だから、連動軸２０はモータの設置位置によって回転方向が異なるようになり、すなわち、本考案の傘歯車部材１３が同様のように第一端部１２２に嵌め設けられるが、ねじ軸スリーブ１２を上記方向と逆に設置し、そうすると、第一端部１２２が台座１０の収容空間１０２の頂部に設置され、第二端部１２３が台座１０の収容空間１０２の底部に設置され、且つ第一傘歯車１３２が下に向いて連動軸２０の第二傘歯車２０１と噛合い、これにより、ねじ軸スリーブ１２のねじ穴１２１の螺旋方向が上記と逆になり、だから、連動軸２０の回転方向に係らずに、全てのジャッキに組付けられたねじ軸の螺旋方向が一致であれば、ねじ軸は同期に昇降することができる。
【００３０】
また、図５に示すように、本考案は、第一ジャッキ３０、第二ジャッキ３１、第三ジャッキ３２と第四ジャッキ３３をそれぞれ一つの矩形の四つのコナーで設置して、第一ジャッキ３０と第二ジャッキ３１と第三ジャッキ３２と第四ジャッキ３３との互いに隣接する両側面には貫通孔がそれぞれ開設してあり、且つ各貫通孔を互いに対応させると、鍵溝を持つ連接軸４０によって、隣接するジャッキの連動軸の自由端をそれぞれ連結することができ、そして四つのジャッキのうちの一つの連動軸の自由端をモータ４１に連接することにより、モータ４１で四つのジャッキを同期に駆動することができる。
【００３１】
また、図６に示すように、本考案は、第一ジャッキ５０、第二ジャッキ５１、第三ジャッキ５２、第四ジャッキ５３と第五ジャッキ５４を十字形に配列し、且つ第一ジャッキ５０の四つの側面には貫通孔がそれぞれ開設してあり、第二ジャッキ５１と第三ジャッキ５２と第四ジャッキ５３と第五ジャッキ５４との一つの側面には貫通孔がそれぞれ開設してあり、且つ第一ジャッキ５０の四つの側面に開設された貫通孔に、第二ジャッキ５１と第三ジャッキ５２と第四ジャッキ５３と第五ジャッキ５４との貫通孔をそれぞれ対応させて、鍵溝を持つ連接軸６０によって、隣接するジャッキの連動軸６０の自由端をそれぞれ連結することができ、そして上記連動軸６０のうちの一つにスプロケットを設けることにより、モータ６１によってスプロケットを駆動すると、五つのジャッキを同期に駆動することができる。
【図面の簡単な説明】
【００３２】
【図１】本考案の実施例１の外観斜視図である。
【図２】本考案の実施例１の分解斜視図である。
【図３】本考案の実施例１の断面概略図である。
【図４】本考案の実施例２の概略図である。
【図５】本考案の使用例を示す概略図である。
【図６】本考案の別の使用例を示す概略図である。
【符号の説明】
【００３３】
１０      台座                 １０１    第一開口
１０２    収容空間             １０３    窪み
１０４    第二開口             １０５    貫通孔
１１      第一軸受             １１１    第一軸受穴
１２      ねじ軸スリーブ       １２１    ねじ穴
１２２    第一端部             １２３    第二端部
１３      傘歯車部材           １３１    ブッシュ部
１３２    第一傘歯車           １４      位置決めリング
１５      第二軸受             １５１    第二軸受穴
１６      カバーディスク       １６１    開口
１７      ブッシュ             １７１    貫通孔
１８      支持ロッド           １８１    ロッド
１８２    円盤                 １９      連接台
１９１    連接穴               ２０      連動軸
２０１    第二傘歯車           ２０２    鍵溝
２１      第三軸受             ２１１    第三軸受穴
２２      Ｃ型リング           ２３      第四軸受
２３１    第四軸受穴           ２４      Ｏ型リング
２５      シールリング         ３０      第一ジャッキ
３１      第二ジャッキ         ３２      第三ジャッキ
３３      第四ジャッキ         ４０      連接軸
４１      モータ               ５０      第一ジャッキ
５１      第二ジャッキ         ５２      第三ジャッキ
５３      第四ジャッキ         ５４      第五ジャッキ
６０      連接軸               ６１      モータ
【図１】
0003128369.tif 000003
【図２】
0003128369.tif 000004
【図３】
0003128369.tif 000005
【図４】
0003128369.tif 000006
【図５】
0003128369.tif 000007
【図６】
0003128369.tif 000008